(57)【要約】【課題】  排ガスの円滑な排出、排ガスおよび排気筒の効果的な冷却が良好に維持されるという点を満足しつつ製造コストの低減を図ることができ、さらに、運搬や設置にかかる労力やコストも軽減できる排気筒の提供。【解決手段】  排気筒１は、内筒２７と外筒２９とで構成される。外筒２９は、第一外筒３０と第二外筒３１とで構成される。内筒２７は、燃焼室５の先端部に立設される。第一外筒３０は、燃焼室５に接続された内筒２７に上方からはめ込まれ、内筒２７との間に円筒状隙間２８を形成する。第二外筒３１は、第一外筒３０の上部に接続される。内筒２７からの排ガスは、円筒状隙間２８から上方へ流れる空気により、第二外筒３１内でガイドされて排出される。【選択図】      図１
2008180412.tif 000002
【特許請求の範囲】
【請求項１】
上下方向へ沿って配置され、燃焼室からの排ガスが下方から導入される内筒と、
この内筒との間に筒状隙間を形成するよう同一軸線上に配置され、前記内筒よりも上方へ延出する外筒とを備え、
前記筒状隙間は、下部が外部と連通される
ことを特徴とする焼却炉用排気筒。
【請求項２】
水平方向に設けられた前記燃焼室または煙道に、前記内筒の下端部が取り付けられており、
この内筒に前記外筒の下部開口がはめ込まれて設置される
ことを特徴とする請求項１に記載の焼却炉用排気筒。
【請求項３】
被焼却物を収容して乾留ガス化するガス化室と、このガス化室と接続され、乾留ガスを燃焼させる前記燃焼室とを備える乾留焼却炉に適用され、
前記内筒は、下端部が前記燃焼室の先端部に取り付けられる
ことを特徴とする請求項１または請求項２に記載の焼却炉用排気筒。
【請求項４】
前記外筒は、複数本が互いに接続されて構成される
ことを特徴とする請求項１〜３のいずれか１項に記載の焼却炉用排気筒。
【発明の詳細な説明】
【技術分野】
【０００１】
この発明は、廃棄物などの被焼却物を減容化するための焼却炉に適用される排気筒に関するものである。特に、焼却炉の設置場所で組立容易な排気筒に関するものである。
【背景技術】
【０００２】
本件発明者は、先に、下記特許文献１に開示される乾留焼却炉を提案している。この乾留焼却炉では、その図１に示されるように、排気筒(7)は、内筒(7a)と外筒(7b)とにより二重の円筒状に構成され、燃焼室(6)の上部に接続されている。さらに、この外筒(7b)には、上下部において開口(7c,7d)が形成されており、その上下の開口部(7c,7d)を介して、空気が自然対流するよう構成される。ここで、括弧書きの符号は、特許文献１中における符号である。
【特許文献１】特開２００５−２０１４９９号公報（図１）
【発明の開示】
【発明が解決しようとする課題】
【０００３】
従来の排気筒は、上下方向全体にわたって外筒内に内筒が設けられて二重構造とされており、コスト高となるものであった。また、従来の排気筒の場合、外筒に内筒がはめ込まれた状態で運搬し、設置しなければならなかった。そのため、重量が増加し、簡易な運搬や設置を行う点で改善の余地があった。
【０００４】
この発明が解決しようとする課題は、排ガスの円滑な排出、排ガスおよび排気筒の効果的な冷却が良好に維持されるという点を満足しつつコストの低減を図ることができ、さらに、設置にかかる負担も軽減できる焼却炉用排気筒を提供することにある。
【課題を解決するための手段】
【０００５】
この発明は、前記課題を解決するためになされたもので、請求項１に記載の発明は、上下方向へ沿って配置され、燃焼室からの排ガスが下方から導入される内筒と、この内筒との間に筒状隙間を形成するよう同一軸線上に配置され、前記内筒よりも上方へ延出する外筒とを備え、前記筒状隙間は、下部が外部と連通されることを特徴とする焼却炉用排気筒である。
【０００６】
請求項１に記載の発明によれば、内筒が、外筒の内部に筒状隙間を形成するよう収容される。このとき、外筒の上部には内筒が設けられていないが、下方の筒状隙間から上方へ流れる空気流により、排ガスの円滑な排出、排ガスおよび排気筒の効果的な冷却は良好に維持される。また、内筒の一部を省略したことで、内筒の製造にかかるコストの低減を図ることができる。
【０００７】
請求項２に記載の発明は、水平方向に設けられた前記燃焼室または煙道に、前記内筒の下端部が取り付けられており、この内筒に前記外筒の下部開口がはめ込まれて設置されることを特徴とする請求項１に記載の焼却炉用排気筒である。
【０００８】
請求項２に記載の発明によれば、予め取り付けられた内筒に、外筒を上からはめ込んで設置することができる。これにより、焼却炉の設置場所で排気筒を組み立てる際の労力やコストを軽減できる。
【０００９】
請求項３に記載の発明は、被焼却物を収容して乾留ガス化するガス化室と、このガス化室と接続され、乾留ガスを燃焼させる前記燃焼室とを備える乾留焼却炉に適用され、前記内筒は、下端部が前記燃焼室の先端部に取り付けられることを特徴とする請求項１または請求項２に記載の焼却炉用排気筒である。
【００１０】
請求項３に記載の発明によれば、乾留焼却炉の燃焼室に排気筒を組み立てる際の労力やコストを軽減できる。
【００１１】
さらに、請求項４に記載の発明は、前記外筒は、複数本が互いに接続されて構成されることを特徴とする請求項１〜３のいずれか１項に記載の焼却炉用排気筒である。
【００１２】
請求項４に記載の発明によれば、外筒は、複数本に分割することができる。これにより、排気筒の組立作業や運搬が容易となり、その組立作業や運搬にかかるコストも低減できる。
【発明の効果】
【００１３】
この発明によれば、排ガスの円滑な排出、排ガスおよび排気筒の効果的な冷却が良好に維持されるという点を満足しつつ製造にかかるコストの低減を図ることができ、さらに、運搬や設置にかかる労力やコストも軽減できる。
【発明を実施するための最良の形態】
【００１４】
つぎに、この発明の実施の形態について説明する。
本発明の排気筒は、焼却炉からの排ガスを外部へ排出する煙突である。焼却炉は、その構成を特に問わないが、たとえば、被焼却物を燃焼させる一般的焼却炉の他、被焼却物を乾留ガス化して、それにより生じた乾留ガスを燃焼させる乾留焼却炉とされる。
【００１５】
本実施形態の排気筒は、上下方向へ沿って配置される内筒と、この内筒との間に筒状隙間を形成するよう配置され、内筒よりも上方へ延出する外筒とを備える。
【００１６】
内筒は、下部が燃焼室と連通する一方、上部が外気と連通する筒状に形成されている。その際、内筒は、燃焼室自体に接続してもよいし、燃焼室からの煙道に接続してもよい。
【００１７】
外筒は、筒状に形成されており、下部領域は、内筒との間に筒状隙間を形成するように配置される。前記筒状隙間は、内筒および外筒の他、内筒を通る排ガスを冷却するのに必要十分な空気を通す大きさとされる。外筒の下端部は、通常、内筒の下端部と対応して配置され、外筒の上端部は、内筒の上端部よりも上方へ十分延出して配置される。本実施形態では、予め燃焼室またはそこからの煙道に内筒が接続されて位置決めされており、その内筒に上方から外筒をはめ込んで設置される。このようにして、内筒は、外筒の下端から、たとえば外筒の全長の四分の一から三分の二程度の長さだけ設けられる。
【００１８】
内筒および外筒の断面形状は特に問わず、略矩形状などでもよいが、双方ともに円形状に形成するのが好ましい。断面円形状に形成することにより、簡易な構成で、熱応力の影響も抑制できる。
【００１９】
また、外筒は、複数本を互いに接続して構成してもよく、典型的には、第一外筒と第二外筒との二本の筒材を上下に互いに接続して構成される。第一外筒の下端部は、通常、内筒の下端部と対応して配置され、その第一外筒の上端部に第二外筒の下端部が接続される。その際、少なくとも第二外筒の上部は内筒より上方へ延出する。本実施形態では、予め内筒を燃焼室またはそこからの煙道に立設しておき、その立設された内筒に、第一外筒、第二外筒の順に上方からはめ込んで設置される。つまり、まず内筒に第一外筒を上からはめ込んで固定し、その第一外筒の上端部に第二外筒の下端部を接続する。内筒、第一外筒および第二外筒のそれぞれの長さや断面の大きさは、適宜に設定される。
【００２０】
いずれにしても、外筒は、内筒の外側面との間に筒状隙間を形成し、内筒よりも上方へ延出するように設けられる。従って、外筒内の上部には、内筒が設けられておらず、筒状隙間が形成されていない。ところで、外筒の上端部には、ごみや雨水などが入り込むのを防止する笠が設けられる。
【００２１】
筒状隙間は、下部が外気と連通する一方、上部が外筒を介して外気と連通する。従って、焼却炉の運転時には、筒状隙間の下方から上方へ向けて空気の自然対流が生じる。一方、燃焼室からの排ガスは、内筒および外筒を介して外気へ放出される。そして、内筒の上部開口から外筒へ導入される排ガスと、筒状隙間から外筒へ導入される空気は、ほとんど混合することなく外筒内を上方へ流れ、外気へ放出される。具体的には、筒状隙間から上方へ流れる冷却空気は、外筒の内周面に沿って上方へ流れる。一方、燃焼室からの排ガスは、筒状隙間からの円筒状の空気流にガイドされて、上方へ流れる。
【００２２】
本実施形態の排気筒は、好適には、乾留ガス化方式および二次燃焼方式の焼却炉に備えられる。この焼却炉には、燃焼室の上流側にガス化室が備えられる。ガス化室は、中空ボックス状に形成され、廃棄物などの被焼却物が収容される。このガス化室において、被焼却物を蒸し焼き状態で燃焼させることにより、乾留ガスを発生させることができる。一方、燃焼室は、ガス化室と連通して設けられ、典型的には水平または垂直に配置される。いずれの場合も、ガス化室の上壁または側壁と、燃焼室の基端部とが接続される。燃焼室には、さらに助燃バーナが設けられる。この助燃バーナは、灯油などの補助燃料を燃焼させるものであり、燃焼室の基端部に設けられる。そして、助燃バーナへは、ガス化室からの乾留ガスが導入されると共に、送風機からの燃焼用空気が導入される。従って、助燃バーナの火炎にて、ガス化室からの乾留ガスは、燃焼室内へ火炎を向けて燃焼される。そして、その排ガスは、燃焼室の先端部に接続された排気筒の内筒に、下方から導入され、外部へ排出される。
【実施例１】
【００２３】
以下、この発明の具体的実施例を図面に基づいてさらに詳細に説明する。ここでは、乾留焼却炉の排気筒に適用した例について説明する。
【００２４】
図１は、本発明の排気筒の実施例１を備える乾留焼却炉の一例を示す概略構成図である。本実施例の乾留焼却炉は、乾留ガス化方式および二次燃料方式により、廃棄物などの被焼却物を焼却処理する装置である。この乾留焼却炉の排気筒１に、本発明が適用されている。
【００２５】
本実施例の乾留焼却炉は、着火バーナ２を有し被焼却物（図示省略）を収容するガス化室３と、このガス化室３内の被焼却物から発生させた乾留ガスを燃焼させる助燃バーナ４付きの燃焼室５と、この燃焼室５からの排ガスを装置外へ排出する排気筒１と、ガス化室３や燃焼室５およびそれらに設けた前記各バーナ２，４へ空気を供給する送風機６と、前記各バーナ２，４および前記送風機６などを制御する制御器７とを備える。
【００２６】
ガス化室３は、被焼却物を収容可能に、中空ボックス状に形成されている。本実施例のガス化室３には、正面の上下に、被焼却物の投入扉８と焼却後の灰出し扉９とが開閉可能に設けられており、側面に、着火バーナ２が設けられている。着火バーナ２は、ガス化室３の中央部よりやや下方に配置されており、先端部をガス化室３内へ向けて横向きに設けられる。
【００２７】
着火バーナ２は、灯油などの補助燃料を燃焼させるものである。そのために、着火バーナ２には、給油路（図示省略）を介して補助燃料が供給されると共に、着火バーナ空気路１０を介して送風機６から空気が供給される。ここで、着火バーナ２への補助燃料の供給は、前記給油路に設けた給油弁（図示省略）の開閉により調整される。また、着火バーナ２への空気の供給は、着火バーナ空気路１０に設けた着火バーナダンパ１１により調整される。
【００２８】
ガス化室３には、ガス化室３内へ空気を導入するガス化空気路１２が接続されている。このガス化空気路１２は、送風機６からの空気をガス化室３の炉床からガス化室３内へ導入するものである。ガス化空気路１２には、ガス化空気ダンパ１３が設けられており、ガス化室３への供給空気量が調整される。
【００２９】
このような構成であるので、着火バーナ２の火炎により被焼却物に着火し、ガス化室３内へ空気を供給することで被焼却物の発熱が促され、被焼却物から乾留ガスが発生する。
【００３０】
さらに、ガス化室３には、ガス化室３内の温度を計測するために、ガス化室温度センサ１４が設けられる。本実施例のガス化室温度センサ１４は、ガス化室３から燃焼室５への出口部付近に設けられる。
【００３１】
ガス化室３の上部には、燃焼室５が水平に設けられる。具体的には、ガス化室３の上部には、小径筒１５と大径筒１６とから構成される二重の筒が、水平に配置される。小径筒１５と大径筒１６とは、それぞれ円筒状に形成されている。そして、小径筒１５に大径筒１６を被せるようにして、小径筒１５と大径筒１６とは同一軸線上に配置される。これにより、小径筒１５の外周面と大径筒１６の内周面との間に、円筒状空間１７が形成される。小径筒１５の先端部は、大径筒１６よりも先端側へ延出している。円筒状空間１７は、大径筒１６の先端部においてツバ部１８により閉塞される。
【００３２】
小径筒１５の基端部には、段付き円筒状のバーナ筒１９が接続され、このバーナ筒１９の基端部に助燃バーナ４が設けられる。小径筒１５と大径筒１６との間の円筒状空間１７は、前述したとおり、その先端部開口がツバ部１８により閉塞される。一方、大径筒１６は、小径筒１５よりも基端側へ延出しており、バーナ筒１９の基端部と対応した位置において、大径筒１６とバーナ筒１９との隙間が閉塞される。ここで、バーナ筒１９は、段付き円筒状としたが、段付き部のない単なる円筒状とすることもできる。
【００３３】
助燃バーナ４は、着火バーナ２と同様に、灯油などの補助燃料を燃焼させるものである。そのために、助燃バーナ４には補助燃料が供給されると共に、助燃バーナ空気路２０を介して送風機６から空気が供給される。助燃バーナ空気路２０には、助燃バーナ４への供給空気量を決定する助燃バーナダンパ２１が設けられている。
【００３４】
前述したように、小径筒１５は、その基端部にバーナ筒１９を介して助燃バーナ４が設けられるが、このような小径筒１５によって燃焼室５が構成される。すなわち、小径筒１５と大径筒１６とから構成される二重の筒は、燃焼室５の壁を構成し、小径筒１５内が燃焼室５として実質的に機能する。そして、この燃焼室５内へは、ガス化室３からの乾留ガスが接続管２２を介して導入されると共に、その乾留ガスの燃焼用空気が燃焼用空気路２３を介して導入される。
【００３５】
具体的には、バーナ筒１９とガス化室３とは接続管２２で接続され、この接続管２２を介して、ガス化室３からの乾留ガスが燃焼室５内へ導入される。本実施例では、水平に配置されたバーナ筒１９の周側壁下部と、ガス化室３の上部とが、垂直に配置された円筒状の接続管２２にて接続される。
【００３６】
一方、燃焼室５内への燃焼用空気の供給は、燃焼用空気路２３を介して送風機６から空気を送り込むことでなされる。この際、小径筒１５と大径筒１６との間の円筒状空間１７が、燃焼用空気路２３の末端部として用いられる。すなわち、送風機６からの空気は、燃焼用空気ダンパ２４を介した後、大径筒１６の先端側の周側壁に形成した開口から、円筒状空間１７へ供給される。そして、円筒状空間１７へ供給された空気は、基端側へ導かれ、小径筒１５の基端部に配置したバーナ筒１９を介して燃焼室５内へ導出される。
【００３７】
このようにして、バーナ筒１９内へは乾留ガスと燃焼用空気とが供給され、助燃バーナ４の火炎にて燃焼される。その際、ガス化室３からの乾留ガスは、燃焼室５の先端側へ火炎を向けて燃焼される。
【００３８】
小径筒１５は、先端面が閉塞され、大径筒１６からの延出部の周側壁において上方へ開口している。そのような延出部を覆うように、小径筒１５の先端部には、接続筒２５が設けられる。接続筒２５は略Ｌ字形状の流路を有し、一方の開口部がツバ部１８に接続され、他方の開口部（上部開口）は、小径筒１５の上部開口と同心円状に配置される。ところで、小径筒１５の先端部，つまり燃焼室５の先端部には、燃焼室出口の温度を計測する燃焼室温度センサ２６が設けられる。
【００３９】
小径筒１５および接続筒２５の各上部開口には、排気筒１が立設される。本実施例の排気筒１は、燃焼室５の先端部に設けられる円筒状の内筒２７と、この内筒２７との間に円筒状隙間２８を形成するように配置される円筒状の外筒２９とを備える。この外筒２９は、下方に位置する円筒状の第一外筒３０と、この第一外筒３０の上部に設けられる円筒状の第二外筒３１とからなる。
【００４０】
内筒２７は、燃焼室５の先端部に立設して接続される。具体的には、接続筒２５の上部開口から上方へ突出するようにして、下端部が小径筒１５の前記延出部の上部開口に接続される。従って、内筒２７には、燃焼室５からの排ガスが下方から導入される。
【００４１】
第一外筒３０は、内筒２７よりも大径であり、図示例では、全長は内筒２７程度とされている。そして、この第一外筒３０は、上記のように接続された内筒２７に上方からはめ込んで接続筒２５の上部開口に接続され、内筒２７と第一外筒３０とは同一軸線上に配置される。これにより、内筒２７の外周面と第一外筒３０の内周面との間には円筒状隙間２８が形成され、この円筒状隙間２８は、接続筒２５と小径筒１５との間の隙間とも連通する。また、第一外筒３０の上部には径方向外側へ延出してフランジ３２が形成されている。
【００４２】
第二外筒３１は、図示例では、第一外筒３０と直径および全長が同一であり、下部には径方向外側へ延出してフランジ３３が形成されている。そして、このフランジ３３が第一外筒３０の上部のフランジ３２に接続されることで、第二外筒３１は上記のように位置決めされた第一外筒３０に連結される。このようにして、第二外筒３１は、内筒２７および第一外筒３０と同一軸線上に配置される。さらに、第二外筒３１の上端部には、ごみや雨水などが焼却炉内へ入り込むのを防ぐために、笠３４が設けられる。
【００４３】
制御器７は、着火バーナ２やガス化室３および燃焼室５への送風量や、各バーナ２，４の作動などを制御する。具体的には、各ダンパ１１，１３，２４の駆動手段をそれぞれ制御することで、着火バーナ２への供給空気量、ガス化空気路１２を介したガス化室３への供給空気量、および燃焼用空気路２３を介した燃焼室５への供給空気量を変更できる。但し、本実施例では、助燃バーナダンパ２１は、所定状態に固定されているので、助燃バーナ４の作動時には一定量の空気が助燃バーナ４へ供給される。
【００４４】
また、制御器７は、圧力センサ３５の出力に基づき送風機６の回転数をインバータ制御することで、送風機６から各ダンパ１１，１３，２１，２４へ送る空気の風圧を一定にできる。さらに、各バーナ２，４への補助燃料の供給は、給油路（図示省略）に設けられた給油弁（図示省略）を開閉制御することでなされる。
【００４５】
このような制御は、予め設定された手順（プログラム）に従い、ガス化室３および燃焼室５に設けた各温度センサ１４，２６、および圧力センサ３５の出力、さらには制御器７自身が把握する経過時間などを用いてなされる。そのため、本実施例の乾留焼却炉は、最初にガス化室３内へ被焼却物を投入して収容した後、乾留焼却が段階的に行われ、その一連の処理が完了するまでは、ガス化室３に新たに被焼却物が投入されることはない。この制御器７による運転制御は、前記温度センサ１４，２６による温度制御を基本とし、これに時間制御を付加したものとしている。また、このような運転制御を、ガス化室３に投入される被焼却物の重量などを用いて行ってもよい。
【００４６】
運転に伴い、排気筒１から排ガスが装置外へ排出される。その際、円筒状隙間２８には、下方から上方への外気の自然対流が生じる。具体的には、接続筒２５の下部に外気導入口３６が形成されており、その外気導入口３６から導入された外気が、円筒状隙間２８の下方から上方へ流れる。
【００４７】
このように流れる外気が、円筒状隙間２８から第二外筒３１内へ導入される一方、燃焼室５からの排ガスも第二外筒３１内へ導入される。このとき、円筒状隙間２８からの空気は、第二外筒３１の内周面に沿って上方へ流れ、燃焼室５からの排ガスは、その円筒状の空気流にガイドされて第二外筒３１内を上方へ流れる。そのため、外気と燃焼室５からの排ガスは、第二外筒３１内でほとんど混合することなく外部へ排出される。
【実施例２】
【００４８】
次に、本発明の排気筒の実施例２について説明する。本実施例２の乾留焼却炉およびその排気筒も基本的には、前記実施例１と同様の構成である。そこで、以下では、両者の異なる点を中心に説明し、対応する箇所には同一の符号を付して説明する。
【００４９】
図２は、本発明の排気筒の実施例２を備える乾留焼却炉を示す概略図であり、図１における燃焼室５先端部から排気筒１の部分のみを示している。本実施例２では、図１の第一外筒３０を大径筒１６の周側壁に接続して構成される。つまり、前記実施例１では、第一外筒３０は接続筒２５に接続されたが、本実施例２では、接続筒２５を介さないで、第一外筒３０は大径筒１６に直接に接続される。
【００５０】
具体的には、大径筒１６の先端側の周側壁上部には開口が形成されており、内筒２７は、この開口から突出するようにして、下端部が小径筒１５の周側壁上部に接続される。そして、第一外筒３０は、上記のように接続された内筒２７に上方からはめ込んで大径筒１６に接続される。これにより、内筒２７の外周面と第一外筒３０の内周面との間には円筒状隙間２８が形成され、この円筒状隙間２８は、小径筒１５と大径筒１６との間の円筒状空間１７と連通する。但し、円筒状空間１７は、前記実施例１と同様にツバ部１８で閉塞されている。そして、大径筒１６の先端側の周側壁下部には、外気導入口３６が形成される。そして、排気筒１から排ガスが装置外へ排出されると共に、外気導入口３６から導入された外気が、円筒状隙間２８の下方から上方へ流れる。
【実施例３】
【００５１】
次に、本発明の排気筒の実施例３について説明する。本実施例３の乾留焼却炉およびその排気筒も基本的には、前記実施例１と同様の構成である。そこで、以下では、両者の異なる点を中心に説明し、対応する箇所には同一の符号を付して説明する。
【００５２】
図３は、本発明の排気筒の実施例３を備える乾留焼却炉を示す概略図であり、図１における燃焼室５先端部から排気筒１の部分のみを示している。本実施例３では、図１の排気筒１の周側壁に燃焼室５の先端部を接続して構成される。つまり、前記実施例１では、内筒２７は小径筒１５の周側壁に接続されたが、本実施例３では、小径筒１５が内筒２７の周側壁に接続される。
【００５３】
本実施例の場合、第一外筒３０内に内筒２７が設けられた二重筒を燃焼室５の先端部に設ける。その際、小径筒１５は、先端部が内筒２７の周側壁下端部に接続される一方、大径筒１６は、先端部が第一外筒３０の周側壁下端部に接続される。そして、円筒状空間１７は、大径筒１６の先端部において、第一外筒３０の周側壁により閉塞される。また、第一外筒３０の下壁には、外気導入口３６が形成される。そして、排気筒１から排ガスが装置外へ排出されると共に、外気導入口３６から導入された外気が、円筒状隙間２８の下方から上方へ流れる。
【００５４】
前記各実施例の排気筒１によれば、第一外筒３０および第二外筒３１の全長を内筒２７とほぼ同一に形成することで、内筒２７と円筒状隙間２８を形成するように第一外筒３０が設けられる。そして、この第一外筒３０の上方に設けられる第二外筒３１内には、内筒２７は設けられず、円筒状隙間２８も形成されない。これにより、排気筒１の設置や運搬が容易となり、内筒２７にかかる製造コストを低減できる。さらに、排ガスを排気筒１から外部へ円滑に排出できると共に、燃焼室５からの排ガスおよび排気筒１を効果的に冷却することができる。
【００５５】
本発明の排気筒１は、前記各実施例の構成に限らず、適宜変更可能である。たとえば、外筒２９は、第一外筒３０と第二外筒３１とが一体的に構成された一本の円筒であってもよいし、三本以上に分割される構成でもよい。外筒２９を複数本で構成する場合、その互いの接続は、フランジの他、溶接などでもよい。また、前記各実施例で説明した乾留焼却炉は一例であって、適宜変更可能なことは言うまでもない。
【００５６】
さらに、前記各実施例の排気筒１は、乾留焼却炉以外の焼却炉にも適用可能である。たとえば、一般的な焼却炉に適用することもできる。この場合、図１において、燃焼室５を省略する代わりにガス化室３を燃焼室として用い、そのガス化室３の上壁に本発明の排気筒１を接続する。そして、ガス化室３に被焼却物を完全燃焼させるのに十分な空気を供給して、被焼却物を焼却処理する。但し、排気筒１は、ガス化室３の上部側壁に接続してもよい。その際、排気筒１は、ガス化室３の上部側壁から延出するように設けられた煙道を介して、ガス化室３と接続すればよい。
【図面の簡単な説明】
【００５７】
【図１】本発明の排気筒の実施例１を備える乾留焼却炉の一例を示す概略構成図である。
【図２】図１における排気筒の変形例（実施例２）を示す図である。
【図３】図１における排気筒のさらに別の変形例（実施例３）を示す図である。
【符号の説明】
【００５８】
１  排気筒
３  ガス化室
５  燃焼室
２７  内筒
２８  円筒状隙間
２９  外筒
３０  第一外筒
３１  第二外筒
【図１】
2008180412.tif 000003
【図２】
2008180412.tif 000004
【図３】
2008180412.tif 000005